(57)【要約】【課題】生鮮品（例えば、青果物や魚介類）の鮮度を長期間保持することができるとともに、外部の衝撃等から生鮮品（例えば、特に柔らかい青果物）や破損し易い商品を保護することができるだけでなく、回収、再利用のための分別が容易である通気性シート及びその加工方法を提供する。【解決手段】多数の中空状の樹脂線条２を交差して一体化せしめた伸縮自在の網目を構成するネットシート４からなるものである。【選択図】  図１
2004232144.tif 000002
【特許請求の範囲】
【請求項１】
多数の中空状の樹脂線条を交差して一体化せしめた伸縮自在の網目を構成するネットシートからなることを特徴とする通気性シート。
【請求項２】
多数の中空状の樹脂線条を交差して一体化せしめた伸縮自在の網目を構成するネットシートと、該ネットシートの片面及び／又は両面に、樹脂シートを貼り合わせてなることを特徴とする通気性シート。
【請求項３】
ネットシートが貼り付けられた樹脂シートが、ネットシートの網目部分に、開口部を有する請求項２に記載の通気性シート。
【請求項４】
ネットシートと樹脂シートとが、同種の樹脂材料からなる請求項２又は３のいずれか１項に記載の通気性シート。
【請求項５】
樹脂材料が、ポリオレフィン系樹脂、アイオノマー樹脂、生分解性樹脂からなる群より選択される一種以上の熱可塑性樹脂である請求項１〜４のいずれか１項に記載の通気性シート。
【請求項６】
請求項１〜５のいずれか１項に記載の通気性シートの加工方法であって、前記ネットシートの中空状の樹脂線条に空気を封入しながら、前記通気性シートを所定の形状に切断した後、その周囲をシールしたことを特徴とする通気性シートの加工方法。
【発明の詳細な説明】
【０００１】
【発明の属する技術分野】
本発明は、生鮮品（例えば、青果物や魚介類等）、木製家具等の特に通気性を要する商品及び破損しやすい商品を外部の衝撃等から保護するために用いられる通気性シート及びその加工方法に関する。
【０００２】
【従来の技術】
従来、生鮮品（例えば、青果物や魚介類等）や木製家具等の特に通気性を要する商品を箱に梱包したり、運搬する場合、外部の衝撃等から上記商品を保護するため、発泡樹脂条を交差させて網状に接着したクロスネット状の緩衝材を一重又は二重にしたものが主に使用されている。
【０００３】
上記緩衝材は、通常、同種且つ同程度の硬さを有する発泡樹脂条で構成されており、上記緩衝材を改良した技術としては、発泡樹脂材料からなる軟質発泡樹脂条と、硬質発泡樹脂条とをクロスネット状に接着した果実緩衝材、及び発泡樹脂材料からなる発泡樹脂シートに対して軟質発泡樹脂条又は硬質発泡樹脂条を該シートの片面又は両面に接着した果実緩衝材が提案されている（特許文献１参照）。
【０００４】
【特許文献１】
特開平８−３０１３７３号公報
【０００５】
しかしながら、上述の緩衝材であっても、未だ緩衝性能や通気性が十分ではないため、特に、青果物（果実や野菜等）の長期保存には向いていなかった。
【０００６】
また、複数の青果物を段ボール箱等のケースに入れ、青果物を１段又は２段以上に重ねて収納する場合、上段からの重圧やその他の衝撃により、下段の青果物への傷等のダメージを軽減するため、青果物の底部又は各段の間に、段ボールシートと発泡樹脂ネットとを貼り合わせたシートが主に用いられている。
このシートは、緩衝性が十分でなく、段ボールと発泡樹脂で構成されているため、リサイクルや廃棄物処理のため分別をする必要があるが、近年のリサイクル化の要請に対して煩雑であるという問題点があった。
【０００７】
【発明が解決しようとする課題】
本発明は、このような従来技術の有する課題に鑑みてなされたものであり、その目的とするところは、生鮮品（例えば、青果物や魚介類）の鮮度を長期間保持することができるとともに、外部の衝撃等から生鮮品（例えば、特に柔らかい青果物）や破損し易い商品を保護することができるだけでなく、回収、再利用のための分別が容易である通気性シート及びその加工方法を提供することにある。
【０００８】
【課題を解決するための手段】
すなわち、本発明によれば、多数の中空状の樹脂線条を交差して一体化せしめた伸縮自在の網目を構成するネットシートからなることを特徴とする通気性シートが提供される。
【０００９】
また、本発明によれば、多数の中空状の樹脂線条を交差して一体化せしめた伸縮自在の網目を構成するネットシートと、該ネットシートの片面及び／又は両面に、樹脂シートを貼り合わせてなることを特徴とする通気性シートが提供される。
【００１０】
このとき、本発明では、ネットシートが貼り付けられた樹脂シートが、ネットシートの網目部分に、開口部を有することが好ましい。
【００１１】
また、本発明では、ネットシートと樹脂シートとが、同種の樹脂材料からなることが好ましく、更に、樹脂材料が、ポリオレフィン系樹脂、アイオノマー樹脂、生分解性樹脂からなる群より選択される一種以上の熱可塑性樹脂である熱可塑性樹脂であることが好ましい。
【００１２】
更に、本発明によれば、前記ネットシートの中空状の樹脂線条に空気を封入しながら、前記通気性シートを所定の形状に切断した後、その周囲をシールしたことを特徴とする通気性シートの加工方法が提供される。
【００１３】
【発明の実施の形態】
本発明の通気性シートは、多数の中空状の樹脂線条を交差して一体化せしめた伸縮自在の網目を構成するネットシート、ネットシートの片面及び／又は両面に、樹脂シートを貼り合わせてなるものである。
これにより、本発明の通気性シートは、通気性に優れているため、生鮮品（例えば、青果物や魚介類）の鮮度を長期間保持することができるとともに、緩衝性能に優れているため、より外部の衝撃等から生鮮品（例えば、特に柔らかい青果物）や破損し易い商品を保護することができるだけでなく、リサイクル性にも優れているため、回収、再利用のための分別が容易である。
【００１４】
以下、本発明の実施の形態を図面に基づいて更に詳細に説明する。
図１〜４は本発明の通気性シートの各例を示すものであり、（ａ）は概略斜視図、（ｂ）は（ａ）のＡ−Ａ断面図である。
本発明の通気性シートは、例えば、図１に示すように、多数の中空状の樹脂線条２を交差して一体化せしめた伸縮自在の網目を構成するネットシート４からなるものである。
これにより、ネットシート４は、中空状の樹脂線条２から形成されているため、従来の樹脂線条と比較して、樹脂線条自体の保形性や緩衝性能を向上させることができるとともに、重量も大幅に軽減することができる。
【００１５】
尚、ネットシート４は、その硬軟や網目の重数に制限されず、一重で用いても二重で用いてもよい。
また、生鮮品（例えば、青果物や魚介類）に接する側と外部に面する側とを同じ硬さにしたり、青果物等に接する側を軟らかくし外部に面する側を硬くする等、任意に調整可能である。
ネットシート４の硬軟の程度は、対象となる青果物等の種類や、外部からの衝撃の大きさ等を考慮して、適宜決定される。
【００１６】
また、本発明の通気性シートは、図２に示すように、多数の中空状の樹脂線条２を交差して一体化せしめた伸縮自在の網目を構成するネットシート４と、ネットシート４の片面に、樹脂シート６を貼り合わせてなるものである。
図２に示す通気性シート１０は、特に、水分を含んだ生鮮品（例えば、青果物や魚介類）を保護するために使用した場合、生鮮食品をネットシート４上に載置することにより、生鮮品から出る水分（汁）がネットシート４の凹凸面の凹部に流れ出るため、生鮮品に水分（汁）が接触することがなく、生鮮品の鮮度や腐敗を抑制することができるだけでなく、ネットシート４の裏面の樹脂シート６に水分（汁）をある程度受容することができるので、水分（汁）による他への汚染を抑制することができる。
【００１７】
また、本発明の通気性シートは、図３に示すように、ネットシート４が貼り付けられた樹脂シート６が、ネットシート４の網目部分に、開口部５を有することが好ましい。
これにより、図３に示す通気性シート１２は、特に、複数の青果物を段ボール箱等のケースに入れ、青果物を１段又は２段以上に重ねて収納する場合、通気性シート１２自身の通気抵抗を低減することができるため、段ボール箱内の通気性を大幅に向上させることができる。
また、開口部５の大きさを調節することにより、通気性シート１２の通気抵抗を適宜調節することもできる。
尚、上記開口部５の形成方法は、特に限定されないが、ネットシート４と樹脂シート６とを熱融着する際、ネットシート４又は樹脂シート６の何れかを延伸させることにより、ネットシート４の網目部分に開口部５を形成させることが簡便である。
【００１８】
更に、本発明の通気性シートは、図４に示すように、ネットシート４の両面に、樹脂シート６，６を貼り合わせることが好ましい。
【００１９】
ここで、本発明で用いる樹脂シートは、図２〜４に示すように、樹脂シート６の表面が平坦なものであるが、特に限定されるものではなく、例えば、表面が平坦な樹脂フィルム上に、樹脂フィルムで気体を密封被覆した複数の凸状気体内包部を備えたもの（プラスチック気泡シート）であってもよい。
上記プラスチック気泡シートを用いることにより、商品とシートとの間に通気層が形成されるため、通気性が向上するとともに、水分を含んだ生鮮品（例えば、魚介類）を保護するために使用した場合、生鮮品から出る水分が、生鮮品に接触することがないため、生鮮品の腐敗を抑制することができ、生鮮品の鮮度を長期的に保持することができる。
【００２０】
また、本発明の通気性シートは、ネットシートと樹脂シートとが、同種の樹脂材料からなることが、リサイクルや廃棄物処理のための分別が不要であるため好ましい。
【００２１】
尚、本発明で用いる樹脂材料は、ポリオレフィン系樹脂、アイオノマー樹脂、生分解性樹脂からなる群より選択される一種以上の熱可塑性樹脂であることが好ましい。
これらの熱可塑性樹脂は、一種単独又は二種以上の混合体、共重合体等として使用される。上記熱可塑性樹脂の中でも、ポリエチレン系樹脂、ポリプロピレン系樹脂等のポリオレフィン系樹脂や、ゴム成分を含有したポリスチレン系樹脂は、本発明の通気性シートに、可撓性、圧縮歪回復性及び柔軟性を付与する上で、最も好適な樹脂である。
【００２２】
また、本発明で用いる樹脂材料は、生分解性樹脂であることが、地球規模という大きい意味でリサイクル性を有しているため、より好ましい。
即ち、本発明の通気性シートに生分解性樹脂を使用することにより、何度もリサイクルして使用した後、不要になり廃棄したときでも、土中や海中等で微生物によって分解されるため、地球環境問題への解決にも繋がる。
ここで、生分解性樹脂としては、例えば、ポリ（ε−カプロラクトン）（ＰＣＬ）、ポリブチレンサクシネート（ＰＢＳ）、ポリブチレンサクシネート・アジペート（ＰＢＳＡ）、ポリ乳酸（ＰＬＡ）等が挙げられる。
【００２３】
更に、本発明で用いる樹脂材料は、光（紫外線）、熱、微生物等により樹脂の分解を促進させる添加剤を添加してもよい。
このような添加剤を添加して、その添加量を調整することで、本発明の通気性シートの分解時期を予め設定することができる。
即ち、本発明の通気性シートを使用するのに必要な期間を考慮して、その分解時期を必要な使用期間を超えるように設定することにより、本発明の通気性シートは、使用期間中には分解されずに何度もリサイクルして使用できるとともに、使用後（廃棄後）には土中や海中等で分解されて地球に戻ることになる。
尚、上記添加剤としては、特に限定されないが、例えば、ヒドロキシステアリン酸鉄、ステアリン酸銅、不飽和脂肪酸、不飽和脂肪酸エステル、ヒンダードフェノール、及び極性ポリマーを含有する組成からなる「デクラ・ノボン（商品名）」（ノボンジャパン株式会社製）を好適に用いることができる。
【００２４】
次に、本発明では、図５に示すように、図１〜４に示す通気性シート２０を、ネットシート４の中空状の樹脂線条２に空気を封入しながら、通気性シート２０を所定の形状に切断した後、その周囲をシールすることが好ましい。
これにより、通気性シート２０の周囲にシール部２２が形成されるため、通気性シート２０の末端が解れたり、形状が崩れたりすることを防止することができる。
【００２５】
尚、ネットシートに樹脂シートを貼り合わせ及びシールする方法としては、特に制限されず、例えば、熱風法、火炎法、赤外線法、熱板法、ヒートシール法、インパルスシール法等の外部加熱による熱融着法、高周波法、超音波法等の内部加熱による熱融着法や、エポキシ樹脂系接着剤、ブタジエン−アクリロニトリルゴム等の接着剤を使用する方法等の通常公知の方法を適宜用いることができる。
【００２６】
【発明の効果】
以上説明した通り、本発明の通気性シート及びその加工方法は、通気性に優れているため、生鮮品（例えば、青果物や魚介類）の鮮度を長期間保持することができるとともに、緩衝性能に優れているため、より外部の衝撃等から生鮮品（例えば、特に柔らかい青果物）や破損し易い商品を保護することができるだけでなく、リサイクル性にも優れているため、回収、再利用のための分別が容易である。
【図面の簡単な説明】
【図１】本発明の通気性シートの一例を示すものであり、（ａ）は概略斜視図、（ｂ）は（ａ）のＡ−Ａ断面図である。
【図２】本発明の通気性シートの他の例を示すものであり、（ａ）は概略斜視図、（ｂ）は（ａ）のＡ−Ａ断面図である。
【図３】本発明の通気性シートの更に他の例を示すものであり、（ａ）は概略斜視図、（ｂ）は（ａ）のＡ−Ａ断面図である。
【図４】本発明の通気性シートの別の例を示すものであり、（ａ）は概略斜視図、（ｂ）は（ａ）のＡ−Ａ断面図である。
【図５】本発明の通気性シートの加工方法の一例を示す説明図である。
【符号の説明】
２…中空状の樹脂線条、
４…ネットシート（通気性シート）、
５…開口部、
６…樹脂シート、
１０，１２，１４…通気性シート、
２０…通気性シート（広義）、
２２…シール部。
【図１】
2004232144.tif 000003
【図２】
2004232144.tif 000004
【図３】
2004232144.tif 000005
【図４】
2004232144.tif 000006
【図５】
2004232144.tif 000007